(57)【特許請求の範囲】
【請求項１】
複数のマルチキャストサービスを提供するネットワークにおいてサービスガイドを提供する方法であって、
前記ネットワークは、アクセス装置に接続された少なくとも１つのクライアント装置を有し、
前記方法は、クライアント装置において、
前記複数のマルチキャストサービスのリストを第２の順序で提供するサービスガイドを受信するステップと、
前記アクセス装置を介して前記少なくとも１つのクライアント装置にマルチキャストされている前記複数のマルチキャストサービスの一部を決定するステップであり、前記複数のマルチキャストサービスの前記一部は、前記アクセス装置によりマルチキャストされており、前記アクセス装置に接続された前記少なくとも１つのクライアント装置により受信されているステップと、
前記複数のマルチキャストサービスの前記リストにおいて前記一部の前記マルチキャストサービスの位置を第１の順序で配置するステップであり、前記一部の前記マルチキャストサービスに基づいて前記第２の順序から前記第１の順序に順序が変更されるステップと、
前記第１の順序で前記複数のマルチキャストサービスの前記リストを提示するステップと
を有することを特徴とする方法。
【請求項２】
前記一部の前記マルチキャストサービスは、前記リストの所定の位置に記載されることを特徴とする、請求項１に記載の方法。
【請求項３】
前記所定の位置は、前記リストの上部であることを特徴とする、請求項２に記載の方法。
【請求項４】
前記一部の前記マルチキャストサービスは、前記リストに順に記載されることを特徴とする、請求項１に記載の方法。
【請求項５】
前記一部の前記マルチキャストサービスを決定するステップは、
前記一部の前記マルチキャストサービスについての情報を含むメッセージを受信し、
前記メッセージから前記情報を導出することを更に有することを特徴とする、請求項１に記載の方法。
【請求項６】
前記一部の前記マルチキャストサービスを決定するステップは、
前記マルチキャストサービスにアクセスするために使用されるアクセス情報を受信し、
パケットをスヌープし、
前記アクセス情報と前記パケットとに基づいて前記一部のマルチキャストサービスについての情報を決定することを特徴とする、請求項１に記載の方法。
【請求項７】
前記アクセス装置によりマルチキャストされているマルチキャストサービスを決定するために、前記クライアント装置によるマルチキャストサービスの受信中に定期的にパケットをスヌープするステップと、
前記決定されたマルチキャストサービスに基づいて前記マルチキャストサービスのリストを再配置するするステップと
を更に有することを特徴とする、請求項６に記載の方法。
【請求項８】
前記アクセス情報は、複数のマルチキャストサービスを受信するためのマルチキャストグループアドレスを有することを特徴とする、請求項６に記載の方法。
【請求項９】
物理レイヤフレームに基づいて前記一部のマルチキャストサービスについての情報を決定するステップを更に有することを特徴とする、請求項１に記載の方法。
【請求項１０】
サーフィンする命令を受信するステップと、
前記一部の前記マルチキャストサービスを１つずつ提示するステップと
を更に有することを特徴とする、請求項１に記載の方法。
【請求項１１】
前記一部に属さないマルチキャストサービスを１つずつ提示するステップを更に有することを特徴とする、請求項１０に記載の方法。
【請求項１２】
複数のマルチキャストサービスを提供するネットワークにおいてサービスガイドを提供する装置であって、
前記装置は、アクセス装置に接続し、
前記装置は、
前記複数のマルチキャストサービスのリストを第２の順序で提供するサービスガイドを受信するために使用される受信機と、
前記アクセス装置によりマルチキャストされている前記複数のマルチキャストサービスの一部を決定するために使用される処理モジュールであり、ただし、前記複数のマルチキャストサービスの前記一部は、前記アクセス装置によりマルチキャストされており、前記アクセス装置に接続された少なくとも１つのクライアント装置により受信されており、前記複数のマルチキャストサービスの前記リストにおいて前記一部の前記マルチキャストサービスの位置を配置し、第１の順序で前記複数のマルチキャストサービスのリストを提示するために使用される処理モジュールと
を有し、
前記アクセス装置によりマルチキャストされている１つ以上のマルチキャストサービスに基づいて前記第２の順序から前記第１の順序に順序が変更されることを特徴とする装置。
【請求項１３】
前記受信機により受信された前記複数のマルチキャストサービスの前記リストに基づいてマルチキャストパケットをスヌープするために、又は物理レイヤフレームで提示されたマルチキャストサービスを検出するために使用されるスヌーピングモジュールを更に有する、請求項１２に記載の装置。
【請求項１４】
前記配置されたリストのチャンネルを１つずつ切り替えるために使用されるチャンネルサーフィンモジュールを更にする、請求項１２に記載の装置。
【発明の詳細な説明】
【技術分野】
【０００１】
本発明は、データ通信に関し、特にマルチキャストサービスを提供する方法に関する。
【背景技術】
【０００２】
電子番組ガイド（EPG：Electronic  Programme  Guide）若しくはインタラクティブ番組ガイド（IPG：Interactive  Programme  Guide）又は電子サービスガイド（ESG：Electronic  Service  Guide）は、マルチキャスト及びブロードキャスト番組へのデジタルガイドであり、典型的には、視聴者がリモコン、キーボード又は他の入力装置（電話キーパッド等）を使用することにより、時間、タイトル、チャンネル、ジャンル等によってコンテンツ（番組、チャンネル、サービスとも呼ばれる）をナビゲート、選択及び発見することを可能にする機能と共に画面上に表示される。
【０００３】
受信装置でESGをナビゲートすることにより、ユーザは、現在の番組及び将来の番組について更なる情報を見ることができる。ESGの典型的な要素は、番組タイトル、記述情報（概要、俳優、監督、制作年度等）、ペイパービュー及びビデオオンデマンド（VOD：video-on-demand）サービスのようなサブチャンネルからの提供中のチャンネル名及び番組、番組開始時間、ジャンル、並びに他の記述メタデータの表示を可能にするグラフィカルユーザインタフェースを有する。
【０００４】
典型的には、ESG情報は、各番組について更なる情報を選択する選択肢と共に格子上に表示される。ESGは、視聴者が番組の要約をブラウジングし、ジャンル又はチャンネルで検索し、選択された番組に直ちにアクセスし、リマインダを行い、ペアレンタルコントロール機能を行うことを可能にする。
【０００５】
典型的には、ESGは、ブロードキャストトランスポートストリーム内で又はそれと一緒に特別なデータチャンネルで送信される。当然に、クライアント装置の選択されたグループにマルチキャストされることも可能である。例えば、デジタルTV（DTV：digital  TV）のATSC（American  Television  Standards  Committee）標準は、各局の番組及びシステム情報プロトコル（PSIP：program  and  system  information  protocol）で送信されるテーブルを使用する。ここで、PSIPは、TV局のブロードキャストトランスポートストリームの各チャンネルについてのメタデータを伝達するために、及び視聴者がタイトル及び説明によって何を見るかを選択できるようにテレビ番組についての情報を公開するために使用されるプロトコルである。更に、これらのテーブルは、番組開始時間及びタイトルと、更なる番組記述メタデータ（“metadata”）とを含むことができる。
【発明の概要】
【発明が解決しようとする課題】
【０００６】
ブロードキャストネットワークでは、全てのチャンネルが常に有線又は無線媒体上に存在する（又は利用可能であると呼ばれる）。従って、チャンネル変更の待ち時間は、通常は小さい。しかし、マルチキャストネットワークでは、チャンネル変更要求時に、現在のチャンネルを離脱して選択されたチャンネルに参加するために、インターネットグループ管理プロトコル（IGMP：Internet  Group  Management  Protocol）が使用される。IGMPは、インターネットプロトコルマルチキャストグループのメンバシップを管理するために使用される通信プロトコルである。IGMPは、クライアントがマルチキャストチャンネルに参加しようとするときにマルチキャストグループのメンバシップを確立するために、クライアント装置及びその隣接するマルチキャストルータにより使用される。
【０００７】
図１は、IPに基づくモバイルTVネットワークにおけるチャンネル変更を示すメッセージシーケンス図である。TVヘッドエンドは、複数のチャンネルを提供し、端末は、チャンネルを受信するためにTVヘッドエンドに接続される。最初に端末はチャンネルAを視聴する。次に、ユーザがESGをブラウズし、チャンネルBに変更することを決定する。チャンネルを変更するための対応する命令は、ESGにおけるチャンネルBの選択に従って生成される。一般的には、チャンネルを変更するための命令は、IGMPを使用することにより、現在のチャンネルを離脱する命令と、新しいチャンネルに参加する命令とで構成される。一般的に、チャンネル切り替え遅延又はチャンネル変更遅延は、端末がIGMP離脱命令を送信する時間で始まり、端末が新しい番組のコンテンツを表示し始める時間で終わる期間に関係する。
【０００８】
更に、US6563830は、非同期転送モードに基づくエミュレーションLANで全てのマルチキャストフローのマルチキャスト登録を開示しており、その出願において簡単にIGMPスヌーピング（snooping）を記載している。
【０００９】
WO2005045603は、サービス選択及びソートのための方法を開示している。具体的には、サービスは、加入済及び未加入を有するグループの種類で結びつけられる。ユーザが他の種類のサービスから加入済のサービスを区別することを容易にするために、サービスのアクセス権に関するローカルに格納された情報（すなわち、ユーザ端末に格納されている）とユーザのサービスアクセス権の設定又は入力とに基づいて、サービスのリストが変更される。例えば、加入項目をハイライトする。
【００１０】
番組に同調するための平均時間を低減することが望まれる。
【課題を解決するための手段】
【００１１】
本発明の態様によれば、複数のマルチキャストサービスを提供するネットワークにおいてサービスガイドを提供する方法を提供し、このネットワークは、第１の装置に接続された少なくとも１つのクライアント装置を有し、この複数のマルチキャストサービスの一部は、この第１の装置を介してこの少なくとも１つのクライアント装置にマルチキャストされ、サービスガイドは、第２の順序で複数のマルチキャストサービスのリストを提供し、クライアント装置側において、この方法は、第１の順序で複数のマルチキャストサービスのリストを判定するステップであり、一部のマルチキャストサービスに基づいて第２の順序から第１の順序に順序が変更されるステップと、この第１の順序でこのマルチキャストサービスのリストを提示するステップとを有する。
本発明の他の態様によれば、複数のマルチキャストサービスを提供するネットワークにおいてサービスガイドを提供する装置が提供され、この装置は、第１の装置に接続し、サービスガイドは、第２の順序で複数のマルチキャストサービスのリストを提供する。この装置は、第２の順序で複数のマルチキャストサービスのリストを受信するように構成された受信機と、第１の順序でマルチキャストサービスのリストを提示するように構成された処理モジュールとを有し、第１の装置によりマルチキャストされている１つ以上のマルチキャストサービスに基づいて第２の順序から第１の順序に順序が変更される。
【発明の効果】
【００１２】
本発明の態様によれば、マルチキャストサービスに同調する平均時間を低減する。
【図面の簡単な説明】
【００１３】
【図１】従来技術に従ってIPに基づくモバイルTVネットワークにおけるチャンネル変更を示すメッセージシーケンス図
【図２】本発明の実施例に従ってマルチキャストサービスを提供する方法を示すフローチャート
【図３】本実施例に従ってサーバから受信したチャンネルガイド情報を示す図
【図４】本実施例に従ってチャンネルについての情報を取得するためにユーザ装置により実行される方法を示すフローチャート
【図５】本実施例に従って再整理されたチャンネルガイド情報を示す図
【図６】本実施例に従ってチャンネルをサーフィンする方法を示すフローチャート
【図７】本実施例に従って動的に更新されたチャンネルガイド情報を提供するクライアント装置を示すブロック図
【発明を実施するための形態】
【００１４】
本発明の更なる態様及び利点は、本発明の以下の詳細な説明から分かる。
【００１５】
本発明の更なる理解を提供するために含まれており、この出願の一部に組み込まれてこの出願の一部を構成する添付図面は、本発明の原理を説明するために役立つ詳細な説明と共に、本発明の実施例を示している。従って、本発明は実施例に限定されない。
【００１６】
本発明の実施例について、添付図面と共に詳細に説明する。以下の説明では、明瞭且つ簡潔にするために、既知の方法及び構成のいくつかの詳細な説明が省略されることがある。
【００１７】
以下に説明する本発明の実施例は、マルチキャストサービスを提供する無線ネットワークに配置される。
【００１８】
図２は、本発明の本発明の実施例に従ってマルチキャストサービスを提供する方法を示すフローチャートである。
【００１９】
ステップ201において、ユーザ装置は、例えば、サーバとの接続を確立することにより、サーバとの関係を確立する。接続は、TCP接続、UDP接続等でもよい。他の種類の接続が使用されてもよい。接続は、サービスコンテンツ及び／又は信号を伝達するために使用される。モバイルTVネットワークに２つの種類のサーバが存在する。すなわち、ESG及びその配信を管理するサービス管理サーバと、番組をユーザ装置にストリーミングするストリーミングサーバである。ここでは、ユーザ装置と関係しているサーバは、サービス管理サーバである。この実施例では、サービス管理サーバ及びストリーミングサーバは、単一のサーバ装置に組み込まれる。
【００２０】
関係の確立後に、ステップ202において、ユーザ装置は、サービス通知（すなわち、チャンネルのリストとこれらのチャンネルにアクセスするための情報とを含むチャンネルガイド情報）を受信する。例えば、チャンネルガイド情報は、ESGの形式である。ESGは、チャンネルをナビゲートするために使用されてもよい。図３は、この実施例に従ってサーバから受信したチャンネルガイド情報を示している。このグローバルテーブルでは、ESGにおける提示順序を示すために‘ESGサービス処理ID’が使用され、番組チャンネルを一意に識別するために‘Global_content_ID’が使用され、マルチキャストグループのアドレスを示すために‘Ethernet（登録商標）マルチキャストアドレス’が使用される。マルチキャストグループは、通常ではチャンネルに参加又は離脱するためにIGMPにより使用される。
【００２１】
ステップ203において、ユーザ装置は、ユーザ装置の受信範囲内で現在マルチキャストされているチャンネルについての情報を取得する。通常では、これらのチャンネルは、アクセス装置（図１に示す基地局等）によりマルチキャストされているチャンネルに等しい。換言すると、ユーザ装置が無線アクセスポイントに接続されている無線ネットワークでは、ユーザ装置の受信範囲内でマルチキャストされているチャンネルは、一般的には無線アクセスポイントに接続された全てのユーザ装置により受信されているチャンネルである。図４は、この実施例に従ってユーザ装置の受信範囲内で現在マルチキャストされているチャンネルについての情報を取得する方法を示している。
【００２２】
ステップ401において、ユーザ装置は、マルチキャストパケットをスヌープ（snoop）するためにユーザ装置のフィルタを設定する。ネットワークカードドライバは、全てのパケット、又は或る条件（宛先アドレスが特定の値に等しい等）を満たす特定のパケットを受信するように構成又はプログラム可能であることが、当業者に知られている。この例では、ユニキャストパケット又は他の無関係のマルチキャストパケット（ESGに含まれないマルチキャストサービス等）により生じる計算負荷を回避するため、ユーザ装置は、宛先アドレスがステップ201において受信したESGに含まれるマルチキャストグループアドレスに属するマルチキャストデータパケットのみを受信するように構成される。
【００２３】
ステップ402において、ユーザ装置は、ESGのサービスのマルチキャストグループアドレスに従ってマルチキャストパケットを収集する。具体的には、ユーザ装置は、全てのマルチキャストパケットを取得し、その宛先アドレスを分析する。サービスのマルチキャストグループアドレスに属する宛先アドレスを有するパケットが収集されることを確保するために、フィルタが使用される。
【００２４】
ステップ403において、ユーザ装置は、収集されたマルチキャストパケットに基づいて利用可能なチャンネルを判定する。すなわち、チャンネルは、収集されたパケットの宛先アドレスに基づいて判定される。判定されたチャンネルは、ユーザ装置の受信範囲内で現在マルチキャストされているチャンネルであり、これらは、アクセス装置によりマルチキャストされているチャンネルであると考えられる。
【００２５】
ユーザ装置の受信範囲内でマルチキャストされているチャンネルを判定するために他の方法が使用されてもよい。例えば、ユニキャストパケット及びマルチキャストパケットを含む全てのパケットを収集するようにフィルタが設定され、収集されたパケットの宛先アドレスに合致させるために、ESGに含まれるマルチキャストアドレスが使用されてもよい。このように、ユーザ装置の受信範囲内でマルチキャストされているチャンネルが判定されてもよい。
【００２６】
或いは、これらのチャンネルのコンテンツが無線アクセスポイントを通じて全て利用可能であるため（すなわち、無線アクセスポイントが１つ以上のサーバからこれらのチャンネルのコンテンツを現在受信しているため）、ユーザ装置は、無線アクセスポイントを通じて現在利用可能なチャンネルのリストを導出してもよい。例えば、チャンネルのリストは、メッセージを通じてユーザ装置に送信される。
【００２７】
ステップ204において、ユーザ装置は、ステップ202からの受信したサービス通知と、ステップ203からの利用可能なチャンネル情報とに基づいて、再整理されたチャンネルガイド情報を生成する。m、j及びkの識別子を備えたチャンネルが無線アクセスポイントにより現在マルチキャストされていると仮定すると、図５は、この実施例に従って再整理されたチャンネルガイド情報を示している。この実施例では、現在マルチキャストされているチャンネルは、リストの上部に配置される。変形例によれば、これらのチャンネルは、ユーザが選択しそうなリストの他の所定の位置に配置される。
【００２８】
ステップ205において、ユーザ装置は、再整理されたチャンネルガイド情報の中からユーザによるチャンネルの選択時に、選択されたチャンネルを要求する命令を送信する。
【００２９】
ステップ206において、ユーザ装置は、要求したチャンネルのコンテンツを受信する。
【００３０】
更に、ステップ203及び204は、ユーザがチャンネルを視聴している間に定期的に実行され、これにより、ユーザ装置に表示されるチャンネルガイド情報が動的に更新される。或いは、チャンネルガイド情報は、無線アクセスポイントからのチャンネルガイド情報についての更新メッセージを受信することにより動的に更新される。更新メッセージは、無線アクセスポイントでのチャンネルの可用性が変化したときに送信される。例えば、チャンネルは、利用可能な状態から利用不可能な状態に変化し、その逆も同様である。
【００３１】
この実施例の変形例によれば、ステップ202、203及び204の代わりに、無線アクセス装置自体が、自分によりマルチキャストしているチャンネルについての情報に基づいて、再整理されたチャンネルガイド情報を生成し、メッセージを通じて再整理されたチャンネルガイド情報をユーザ装置に送信する。
【００３２】
無線アクセスポイントの受信範囲内のユーザは、ユーザ装置の位置に関係する同じチャンネル又は類似するチャンネルを視聴する可能性が非常に高いため（例えば、ショッピングモール内のユーザ又はショッピングモールの近くのユーザは、このショッピングモールの広告又は割引情報を視聴する可能性が高いため）、最も関心のあるこのようなチャンネルが、ユーザが容易に選択できるようにチャンネルリストの上部に提示される。更に、ユーザは、チャンネルリストの上部のチャンネルを選択する傾向がある。このため、無線アクセスポイントで利用可能なチャンネルのいずれか１つに同調又は変更する期間は、利用不可能な他のチャンネルに比べて短い。この理由は、利用不可能なチャンネルのコンテンツを取得することは、図１に示すように、サーバから新しいチャンネルを要求するために更なる時間を取り込むからである。
【００３３】
更に、ユーザ装置は、ステップ203の結果に基づいてチャンネルのサーフィン（読み取り）（channel  surfing）のためにチャンネルの全体リストから利用可能なチャンネルのリストを生成してもよい。図６は、この実施例に従ってチャンネルをサーフィンする方法を示すフローチャートである。
【００３４】
サーフィンする命令を受信すると、ステップ601において、ユーザ装置は、利用可能なチャンネルリスト内のチャンネルを１つずつ表示する。
【００３５】
ステップ602において、ユーザ装置は、残りのチャンネルをサーフィンする命令が受信されたか否かを判定する。ここでは、残りのチャンネルは、無線アクセスポイントで利用不可能なチャンネルである。
【００３６】
残りをサーフィンする命令を受信すると、ステップ603において、ユーザ装置は、残りのチャンネルを１つずつ表示する。
【００３７】
この実施例の変形例によれば、ユーザ装置は、リストにおいて追加フィールドを備えた元の単一のリストを依然として使用する。フィールドは、対応するチャンネルが現在利用可能であるか否かを示すために使用される。
【００３８】
ユーザは利用可能なチャンネルのサーフィンの間に関心のあるチャンネルを見つける可能性があるため、場合によっては利用不可能なチャンネルをサーフィンする必要はない。これにより、無線アクセスポイントにより離脱／参加のIGMPメッセージを送信することを含むチャンネル変更に使用される全体の時間が低減される。
【００３９】
この実施例の変形例によれば、この方法は、有線ネットワークで使用されてもよい。ユーザ装置は、ネットワークに有線接続される。ユーザ装置は、そのネットワークカードがプロミスキャスモード（promiscuous  mode）に設定されたときに、パケットをスヌープすることにより、隣接するルータ又は切替器（スイッチ）で利用可能なチャンネルのリストを取得してもよい。その他に、リストはまた、隣接するルータ又は切替器により通知されてもよい。
【００４０】
図７は、この実施例に従って動的に更新されたチャンネルガイド情報を提供する装置を示すブロック図である。装置700は、ESG受信機701と、グローバルテーブル702と、ローカルテーブル703と、スヌーピングモジュール704と、ESG処理器705とを有する。
【００４１】
ESG受信機701は、サーバからチャンネルガイド情報を受信し、これをグローバルテーブル702に格納するように構成される。
【００４２】
スヌーピングモジュール704は、グローバルテーブル702に格納されたチャンネルガイド情報に基づいてマルチキャストパケットをスヌープするように構成される。或いは、物理レイヤフレームで提示されたマルチキャストサービス情報を検出するように構成される（例えば、IEEE802.1e無線ネットワークでは、物理レイヤでのマルチキャストパケットを伝達するためにマルチキャストフレームが使用され、選択されていないマルチキャストサービスのマルチキャストフレームは物理レイヤで破棄されるが、選択されていないマルチキャストサービスのマルチキャストサービス情報は、例えば、フレームが破棄される前に物理ドライバのプロトコルを変更することにより、フレームで検出可能である）。これにより、利用可能なチャンネルのリストを生成し、利用可能なチャンネルのリストについての情報をローカルテーブル703に格納する。
【００４３】
ESG処理器705は、受信したチャンネルガイド情報及び生成された利用可能なチャンネルリストに基づいて、チャンネルを提示するように構成される。利用可能なチャンネルは、提示リストの上部に提示される。
【００４４】
この実施例によれば、マルチキャストサービスを提供する装置は、EPGを処理する装置700を含む。更に、この装置は、チャンネルサーフィンモジュールを更に含んでもよい。チャンネルサーフィンモジュールは、利用可能なチャンネルが利用不可能なチャンネルの表示の前に提示されるように、チャンネルを１つずつ変更することにより、チャンネルをサーフィンするように構成される。更に、“利用不可能なチャンネルをサーフィンするか否か”というプロンプトが利用可能なチャンネルの表示と利用不可能なチャンネルの表示との間に追加されてもよい。この場合、肯定的な応答の場合にのみ、チャンネルサーフィンモジュールは、利用不可能なチャンネルをサーフィンする。
【００４５】
複数の実装について説明した。それにもかかわらず、様々な変更が行われてもよいことが分かる。例えば、他の実装を生成するために、異なる実装の要素が結合、補足、変更又は除去されてもよい。更に、他の構造及び処理が開示されたものに置換されてもよく、残りの実装が少なくとも実質的に同じ方法で少なくとも実質的に同じ機能を実行し、開示された実装と少なくとも実質的に同じ結果を実現することが、当業者に分かる。従って、これらの実装及び他の実装も、本発明の範囲内に入る。
以上の実施例に関し、更に、以下の項目を開示する。
（付記１）複数のマルチキャストサービスを提供するネットワークにおいてサービスガイドを提供する方法であって、
前記ネットワークは、中間装置に接続された少なくとも１つのクライアント装置を有し、
前記複数のマルチキャストサービスの一部は、前記中間装置を介して前記少なくとも１つのクライアント装置にマルチキャストされ、
前記サービスガイドは、第２の順序で前記複数のマルチキャストサービスのリストを提供し、
前記方法は、クライアント装置側において、
第１の順序で前記複数のマルチキャストサービスのリストを判定するステップであり、前記一部の前記マルチキャストサービスに基づいて前記第２の順序から前記第１の順序に順序が変更されるステップと、
前記第１の順序で前記マルチキャストサービスのリストを提示するステップと
を有することを特徴とする方法。
（付記２）前記一部の前記マルチキャストサービスは、前記リストの所定の位置に記載されることを特徴とする、付記１に記載の方法。
（付記３）前記所定の位置は、前記リストの上部であることを特徴とする、付記２に記載の方法。
（付記４）前記一部の前記マルチキャストサービスは、前記リストに順に記載されることを特徴とする、付記１に記載の方法。
（付記５）前記判定するステップは、
前記中間装置から前記第１の順序で前記複数のマルチキャストサービスの前記リストについての情報を含むメッセージを受信し、
前記メッセージから前記第１の順序での前記複数のマルチキャストサービスの前記リストを導出することを更に有することを特徴とする、付記１又は４に記載の方法。
（付記６）前記判定するステップの前に、
第２の順序で前記マルチキャストサービスのリストを受信することを有し、
前記判定するステップは、前記一部のマルチキャストサービスについての情報に基づいて前記第２の順序から前記第１の順序に前記リストを変更することを更に有することを特徴とする、付記１又は４に記載の方法。
（付記７）変更する前に、
前記一部のマルチキャストサービスについての前記情報を含むメッセージを受信し、
前記メッセージから前記情報を導出することを更に有することを特徴とする、付記６に記載の方法。
（付記８）変更する前に、
前記マルチキャストサービスにアクセスするために使用されるアクセス情報を受信し、
パケットをスヌープし、
前記アクセス情報と前記パケットとに基づいて前記一部のマルチキャストサービスについての前記情報を判定することを特徴とする、付記６に記載の方法。
（付記９）前記クライアント装置によるマルチキャストサービスの受信中に定期的にパケットをスヌープし、
前記スヌープされたパケットと前記アクセス情報とに基づいて前記マルチキャストサービスのリストの順序を更新することを更に有することを特徴とする、付記８に記載の方法。
（付記１０）前記アクセス情報は、複数のマルチキャストサービスを受信するためのマルチキャストグループアドレスを有することを特徴とする、付記８に記載の方法。
（付記１１）物理レイヤフレームに基づいて前記一部のマルチキャストサービスについての情報を判定することを更に有することを特徴とする、付記６に記載の方法。
（付記１２）サーフィンする命令を受信し、
前記一部の前記マルチキャストサービスを１つずつ提示することを更に有することを特徴とする、付記１に記載の方法。
（付記１３）前記一部に属さないマルチキャストサービスを１つずつ提示することを更に有することを特徴とする、付記１１に記載の方法。
【図１】
0005905384.tif 000002
【図２】
0005905384.tif 000003
【図３】
0005905384.tif 000004
【図４】
0005905384.tif 000005
【図５】
0005905384.tif 000006
【図６】
0005905384.tif 000007
【図７】
0005905384.tif 000008